(57)【要約】【課題】  外部から目立たずに安定して着用可能で、着用することにより使用者の吸気から外気中の有害微粒子状物質を効率よく除去し、使用者の呼気からウィルス型微粒子状物質を効率よく除去して外気中に放出することが可能な鼻孔装着マスクを提供する。【解決手段】  複数サイズの気孔を備えたスポンジ系素材で作られ、鼻孔７ａ、７ｂ内にそれぞれ適合挿入可能な形状にされた第１、第２の挿入体２、３と、第１の挿入体２及び第２の挿入体３の周辺の狭い領域に一体に拡張形成され、人体６の鼻孔７ａ、７ｂ周辺の皮膚に接着され、第１、第２の挿入体２、３を鼻孔７ａ、７ｂ内に安定に取り付ける固定装着体５とを有し、外部から目立たずに装着でき、人体６の吸気から外気中の排気型微粒子状物質及びウィルス型微粒子状物質を含む有害微粒子状物質を除去し、人体６の呼気からのウィルス型微粒子状物質を除去する。【選択図】図１
2011000400.tif 000002
【特許請求の範囲】
【請求項１】
人体の鼻孔内に挿入状態で装着され、前記人体の呼吸時において、外気中の排気型微粒子状物質及びウィルス型微粒子状物質を含む有害微粒子状物質の吸引と、前記人体からの前記ウィルス型微粒子状物質の外部放出とを防止する鼻孔装着マスクであり、
複数サイズの気孔を備えたスポンジ系素材からなり、前記鼻孔内にそれぞれ適合挿入可能な形状に形成された第１の挿入体及び第２の挿入体と、
前記第１の挿入体及び前記第２の挿入体に一体に、前記第１の挿入体及び前記第２の挿入体の周辺の狭い領域に拡張形成され、前記人体の鼻孔周辺の皮膚に接着されることにより、前記第１の挿入体及び前記第２の挿入体を前記鼻孔内に安定に取り付ける固定装着体と
を有することを特徴とする鼻孔装着マスク。
【請求項２】
固定装着体が透明または肌色であることを特徴とする請求項１記載の鼻孔装着マスク。
【請求項３】
第１の挿入体及び第２の挿入体が複層構造で、鼻孔奥方向に向かって各層の気孔の径が小さく形成されていることを特徴とする請求項１または請求項２記載の鼻孔装着マスク。
【請求項４】
固定装着体が、多層構造で第１の挿入体及び第２の挿入体位置において気孔を備えていることを特徴とする請求項１ないし請求項３の何れかに記載の鼻孔装着マスク。
【発明の詳細な説明】
【技術分野】
【０００１】  本発明は人体の鼻孔内に一部挿入状態で、鼻下部に適合装着される鼻孔装着マスクに関する。
【背景技術】
【０００２】  我々が生活を営む地域の外気中には、各種の有害な微粒子状物質が漂っていることがある。例えば、ディーゼル車の排気ガスや工場の煙突からの排気煙には、直径が１０μｍ以下の排出型微小粒子状物質が含まれており、これらの排出は大気汚染防止法の対象とされ、また自動車に対しては酸化窒素排出量が規制されている。これらの放出型微粒子状物質を含む有害な微粒子状物質を吸い込むと、肺癌などの重い健康被害につながるおそれもあり生活上では十分な注意が必要である。
この他にも季節型インフルエンザや新型インフルエンザの病原体であるウイルスが、感染者の咳やくしゃみ或いは呼気を通して、外気中に放出されウィルス型微粒子状物質として漂っていることもある。このウィルス型微粒子状物質を吸い込むと季節型インフルエンザや新型インフルエンザに感染するおそれがあり、これに対しても生活上では十分な注意が必要である。【０００３】  このように我々が健康な生活を送る上では、外気中に漂っている車からの排気ガスや煙突からの排気煙に含まれる排気型微粒子状物質を、呼吸時に吸い込まないことが健康維持のために必要であると共に、インフルエンザの感染者の呼気、咳及びくしゃみを通して大気中に漂っているウィルス型微粒子状物質を吸い込まないことが、インフルエンザの感染防止のためには必要である。
一方で我々には、自らがインフルエンザに汚染したおそれがあると判断した場合には、外出を可能な限り控え、止むを得ず外出する場合には、呼気、咳及びくしゃみを通して、ウィルス型微粒子状物質を外気中に放出しないという他人に対する心遣いが必要となる。【０００４】  これらの要求に基づき健康な人に対しても、車の排気ガスの多い地域や特定の工場が存在する地域に出掛ける必要のある場合には、外気中に排気ガスや煙突からの排気煙に含まれる排気型微粒子状物質を吸い込まないように、マスクを着用する予防手段が取られている。同様にして、健康な人がインフルエンザの感染者に接近状態のままで時間を過ごさねばならぬ人込みの中に出掛ける際にも、マスクを着用して、インフルエンザの感染者から外気中に放出されるウイルス型微粒子状物質を呼吸時に吸い込まないようにする予防手段が取られている。
一方では、インフルエンザに汚染したおそれのある人が、止むを得ず外出する場合には、マスクを着用することにより、咳やくしゃみ或いは呼気を通してウイルス型微粒子状物質を外気中に放出しなように心掛ける防護手段が一般には取られている。【０００５】  近年ではマスクの製造技術も進歩し、その形状や使用材質に対しての配慮が深められ、微粒子状物質の遮断効果を上げる技術が取り入れられ、従来問題であった口部側方向や鼻部上方からの外気の流入・流出も十分に防止できるようになり、ＢＦＥ（バクテリア濾過効率）の高い材質を使用してウィルスの遮断効果も高められている。【０００６】  我が国では前述したようなマスクの使用は、健康な人及びウイルスに感染したおそれのある人にも広く行き渡り、健康維持のために外気中の排気型微粒子状物質やウイルス型微粒子状物質を含む有害微粒子状物質の吸引の防止も効果的に行なわれ、インフルエンザに汚染したおそれのある人から、ウイルス型の微粒子状物質が呼気により外部放出され、或いは咳やくしゃみによる飛沫として外部放出されることも十分に防止されている。【０００７】  一方、欧米諸国を含む外国ではマスクの使用は、日本ほど日常的には行なわれておらず、マスクの着用者は重病人と見られがちで、単に外気中のウイルス型微粒子状物質の吸引防止のためにマスクを着用している健康な人が、米国におい店舗に入ることを断られた例がある。また外国では、マスクは病院に入院するほどに健康に障害を持った人が着用するものだという意識が強く、インフルエンザの感染者でもマスクを着用せずに人込みの中に現われることが多く、我が国のように周囲を思い遣ってマスクを着用することは極めて少ない。【０００８】  マスクの着用が誤解されることには、マスクの形状に基本的な問題がある。我が国でも生鮮食料品店などで、顔が隠れてしまう程大きなマスクを着用した店員が、肉を捌いているのを見ると、ひよっとするとその店員はウィルスに感染しているのではないかと心配になることがある。
【発明の概要】
【発明が解決しようとする課題】
【０００９】  本発明は、前述したようなマスク使用の現状に鑑みてなされたものであり、その目的は外部から目立たずに安定して着用可能で、着用することにより使用者の吸気から外気中の有害微粒子状物質を効率よく除去し、使用者の呼気からウィルス型微粒子状物質を効率よく除去して外気中に放出することが可能な鼻孔装着マスクを提供することにある。
【課題を解決するための手段】
【００１０】  前記目的を達成するために、請求項１記載の第１の発明は、人体の鼻孔内に挿入状態で装着され、前記人体の呼吸時において、外気中の排気型微粒子状物質及びウィルス型微粒子状物質を含む有害微粒子状物質の吸引と、前記人体からの前記ウィルス型微粒子状物質の外部放出とを防止する鼻孔装着マスクであり、複数サイズの気孔を備えたスポンジ系素材からなり、前記鼻孔内にそれぞれ適合挿入可能な形状に形成された第１の挿入体及び第２の挿入体と、前記第１の挿入体及び前記第２の挿入体に一体に、前記第１の挿入体及び前記第２の挿入体の周辺の狭い領域に拡張形成され、前記人体の鼻孔周辺の皮膚に接着されることにより、前記第１の挿入体及び前記第２の挿入体を前記鼻孔内に安定に取り付ける固定装着体とを有することを特徴とするものである。【００１１】  第１の発明に係る鼻孔装着マスクの装着時には、複数サイズの気孔を備えたスポンジ系素材からなり鼻孔内にそれぞれ一部挿入状態で、鼻下部に適合装着可能な形状に形成された第１の挿入体及び第２の挿入体の一部が人体の鼻孔にそれぞれ挿入される。これら第１の挿入体及び第２の挿入体には、第１の挿入体及び第２の挿入体の周辺の狭い領域に拡張して一体に固定装着体が形成されているので、この固定装着体を人体の鼻孔周辺の皮膚に接着することにより、外部から目立たずに第１の挿入体と第２の挿入体は、装着感なく対応する鼻孔内に適合挿入状態で安定に取り付けられる。【００１２】  このようにして、第１の発明に係る鼻孔装着マスクの使用時には、装着状態が外部から目立たずにマスクが鼻孔内に安定して固定された状態で、外気中の有害微粒子状物質が効率よく除去された吸気が使用者に安全に供給されると共に、使用者の呼気からウィルス型微粒子状物質が効率よく除去されて外気中に放出され、使用者がウィルス型微粒子状物質を放出して外気を汚染することが防止される。【００１３】  同様に前記目的を達成するために、請求項２記載の第２の発明は、第１の発明において、固定装着体が透明または肌色であることを特徴とするものである。【００１４】  第２の発明によると、第１の発明での作用に加えて、固定装着体が透明または肌色であるために、使用者のマスクの装着状態が外部からより目立たなくなる。【００１５】  同様に前記目的を達成するために、請求項３記載の第３の発明は、第１の発明または第２の発明において、第１の挿入体及び第２の挿入体が複層構造で、鼻孔奥方向に向かって各層の気孔の径が小さく形成されていることを特徴とするものである。【００１６】  第３の発明によると、第１の発明または第２の発明での作用に加えて、第１の挿入体及び第２の挿入体が複層構造で、各層の気孔が鼻孔奥方向ほど小さく形成されているので、外気中に漂う排気型微粒子状物質からウィルス型微粒子状物質にわたる広い粒子径範囲の有書微粒子状物質が、鼻孔奥方向でより小径の気孔が形成された複数層の第１の挿入体及び第２の挿入体により効率よく除去され、より安全な吸気が使用者に供給されると共に、使用者の呼気からウィルス型微粒子状物質が効率よく除去されて外気中に放出され、使用者がウィルス型微粒子状物質を放出して外気を汚染することが防止される。【００１７���  同様に前記目的を達成するために、請求項４記載の第４の発明は、第１の発明ないし第３の発明の何れかの発明において、固定装着体が多層構造で第１の挿入体及び第２の挿入体位置において気孔を備えていることを特徴とするものである。【００１８】  第４の発明によると、第１の発明ないし第３の発明の何れかの発明での作用に加えて、固定装着体が鼻孔周辺の皮膚により堅固に接着され、第１の挿入体及び第２の挿入体が鼻孔内により安定に取り付けられる。さらに、固定装着体の第１の挿入体及び第２の挿入体位置に形成された気孔の濾過作用が加えられ、より安全な吸気が使用者に供給され、使用者の呼気からウィルス型微粒子状物質がより効率よく除去される。
【発明の効果】
【００１９】  第１の発明に係る鼻孔装着マスクを使用すると、使用者にとっては、外部からその装着状態が目立たない状態で、マスクを鼻孔内に安定して固定装着することが可能になる。さらに、第１の発明によると、外部から目立たぬ装着状態で、外気中の有害微粒子状物質が効率よく除去された吸気が使用者に安全に供給可能になると共に、使用者の呼気からウィルス型微粒子状物質が効率よく除去されて外気中に放出され、使用者がウィルス型微粒子状物質を放出して外気を汚染することを防止することが可能になる。【００２０】  第２の発明によると、第１の発明で得られる効果に加えて、固定装着体が透明または肌色であるために、その装着状態を外部から目立たなくする効果をより高めることが可能になる。【００２１】  第３の発明によると、第１の発明または第２の発明で得られる効果に加えて、鼻孔奥方向に向かって径が小さくなる気孔が形成された複数層の第１の挿入体及び第２の挿入体によって、外気中に漂う排気型微粒子状物質からウィルス型微粒子状物質にわたる広い径範囲にわたる有害微粒子状物質を高効率で除去することが可能になり、より安全な吸気を使用者に供給することが可能になると共に、使用者の呼気からウィルス型微粒子状物質を高効率で除去して外気中に放出することが可能になり、使用者がウィルス型微粒子状物質を放出して外気を汚染することを効率的に防止することが可能になる。【００２２】  第４の発明によると、第１の発明ないし第３の発明の何れかの発明で得られる効果に加えて、多層構造の固定装着体を鼻孔周辺の皮膚により堅固に接着することが可能になり、第１の挿入体及び第２の挿入体を鼻孔内により安定に取り付けることが可能になる。
さらに、固定装着体の第１の挿入体及び第２の挿入体位置に形成された気孔により濾過作用が高められ、より安全な吸気を使用者に供給することが可能になり、使用者の呼気からウィルス型微粒子状物質をより効率よく除去することが可能になる。
【図面の簡単な説明】
【００２３】
【図１】本発明の使用状態を示す説明図である。
【図２】本発明に係る鼻孔マスクの構成を示す外観説明図で、（ａ）は正面断面説明図、（ｂ）は平面図である。
【図３】本発明に係る鼻孔マスクの他の構成を示す外観説明図で、（ａ）は正面断面説明図、（ｂ）は平面図である。、
【発明を実施するための形態】
【００２４】  以下に本発明の実施例を、図１ないし図３を参照して説明する。
【実施例】
【００２５】  第１の実施例に係る鼻孔装着マスク１には、図２に示すように、使用者の鼻孔に挿入される第１の挿入体２と第２の挿入体３が設けられ、第１の挿入体２及び第２の挿入体３は、スポンジ系素材例えばウレタンゴムを原料として形成され、その形状は使用者の鼻孔に適合挿入可能なほぼ円錐台形状の４層構造となっている。
第１の挿入体２の各層２ａ〜２ｄには、それぞれの層に対応する径の気孔が形成され、各層の気孔の径は、層が装着時の鼻孔奥方向Ｙに位置するほど径が小さく形成されている。各層を構成するウレタンゴムは、ポリウレタンを原料重合体とし、芳香族ジアミンなどで橋かけして作られ、グリコール鎖の長さによって気孔の径が設定されている。同様にして、第２の挿入体３の各層にも、層が装着時の鼻孔奥方向Ｙに位置するほど径が小さい気孔が形成されている。【００２６】  第１の挿入体２及び第２の挿入体３の底面の周縁部に一体に、第１の挿入体２及び第２の挿入体３の周辺の狭い領域に拡張して、ほぼ絆創膏形状に固定装着体５が一体に形成され、この固定装着体５の裏面は接着性を持ち、使用者の鼻孔周辺の皮膚に接着可能に形成されている。【００２７】  第１の実施例に係る鼻孔装着マスク１を装着する使用者６は、図１に示すように、鼻部７の鼻孔７ａ、７ｂにそれぞれ、鼻孔装着マスク１の第１の挿入体２と第２の挿入体３を挿入し、固定装着体５を鼻孔７ａ、７ｂの周辺の皮膚に接着固定する。固定装着体５の接着固定によって第１の挿入体２と第２の挿入体３は、それぞれ鼻孔７ａ、７ｂ内に安定に保持される。【００２８】  鼻孔７ａ、７ｂ内に安定に保持された第１の挿入体２及び第２の挿入体３には、鼻孔７ａ、７ｂの奥方向ほど径の小さい気孔が形成されているので、使用者６の呼吸により第１の挿入体２と第２の挿入体３の外気に接する層２ａ、３ａの気孔から吸入された吸気は、第１の挿入体２の各層２ｂ、２ｃ、２ｄの気孔と、第２の挿入体３の各層３ｂ、３ｃ、３ｄの気孔を通過する過程で、次第に高い濾過効率で濾過され、外気中の有害微粒子状物質が効率よく除去された吸気を使用者に安全に供給可能することが可能になる。また、使用者６の呼気は、第１の挿入体２の各層２ｄ、２ｃ、２ｂ、２ａの気孔と、第２の挿入体３の各層３ｄ、３ｃ、３ｂ、３ａの気孔を通過する過程で、ウィルス型微粒子状物質が効率よく除去されて外気中に放出され、使用者がウィルス型微粒子状物質を放出して外気を汚染することを防止することが可能になる。【００２９】  第２の実施例に係る鼻孔挿入マスク１０の固定装着体５Ａは、図３に示すように、５ａ、５ｂの２層構造となっていて、第１の挿入体２及び第２の挿入体３の底面に対接して一体に形成され、第１の挿入体２及び第２の挿入体３の底面位置には、固定装着体５Ａの層５ａ、５ｂを貫通して気孔が形成されている。第２の実施例のその他の部分の構成は、すでに説明した第１の実施例と同一である。【００３０】  第２の実施例によると、第１の実施例で得られる効果に加えて、多層構造の固定装着体５Ａを鼻孔周辺の皮膚に対して、より堅固に接着することが可能になり、第１の挿入体２及び第２の挿入体３を鼻孔７ａ、７ｂ内により安定に取り付けることが可能になる。
さらに、固定装着体５Ａの第１の挿入体２及び第２の挿入体３の底面位置に形成された気孔によって濾過作用がさらに高められ、より安全な吸気を使用者６に供給することが可能になり、使用者６の呼気からウィルス型微粒子状物質をより効率よく除去することが可能になる。
【符号の説明】
【００３１】  １、鼻孔装着マスク
２  第１の挿入体
３  第２の挿入体
５  固定装着体
５Ａ  固定装着体
６  使用者
１０  鼻孔装着マスク
【図１】
2011000400.tif 000003
【図２】
2011000400.tif 000004
【図３】
2011000400.tif 000005